(57)【要約】【課題】間引き点灯に対応するとともに、利用者が必要とする場所を所望の明るさで照明することができる照明装置を提供する。【解決手段】複数の照明機器１０を備えた照明装置１であって、点灯を行う照明機器の数の割合を示す点灯率を選択するための点灯率選択手段３０と、各点灯率において点灯する照明機器の組み合わせを点灯パターンとして入力された場合に、これら点灯パターンを記憶する記憶手段６０と、点灯率選択手段によって点灯率が選択された場合に、記憶手段に記憶された当該点灯率に対応する点灯パターンを表示させ、何れかの点灯パターンを選択させるための点灯パターン選択手段４１と、点灯パターン選択手段を通じて選択された点灯パターンに従って、照明機器を点灯又は消灯する点灯制御手段７８とを備えた。【選択図】図１
2013084474.tif 000002
【特許請求の範囲】
【請求項１】
複数の照明機器を備えた照明装置であって、
点灯する照明機器の数の割合を示す点灯率を選択させるための点灯率選択手段と、
各点灯率において点灯する照明機器の組み合わせを点灯パターンとして入力された場合に、これら点灯パターンを記憶する記憶手段と、
前記点灯率選択手段によって点灯率が選択された場合に、前記記憶手段に記憶された当該点灯率に対応する点灯パターンを表示させ、何れかの点灯パターンを選択させるための点灯パターン選択手段と、
前記点灯パターン選択手段を通じて選択された点灯パターンに従って、前記照明機器を点灯又は消灯する点灯制御手段と
を備えたことを特徴とする照明装置。
【請求項２】
各照明機器の点灯積算時間を計測する点灯時間計測手段と、
前記点灯率選択手段によって点灯率が選択された場合に、前記記憶手段に記憶された当該点灯率に対応する点灯パターンの中から、前記点灯時間計測手段により計測された点灯積算時間の合計が最も少ない点灯パターンを検出する検出手段と
を備え、
前記点灯制御手段は、前記検出手段によって点灯パターンが検出された場合に、検出された点灯パターンに従って、前記照明機器を点灯又は消灯することを特徴とする請求項１に記載の照明装置。
【発明の詳細な説明】
【技術分野】
【０００１】
本発明は、照明装置に関し、より詳細には、照明機器の間引き点灯を行う照明装置に関する。
【背景技術】
【０００２】
従来、電力を節約する観点から、複数の照明機器の中から一部の照明機器を抜き取ったり、消灯させたりして、間引き点灯が行われている。かかる間引き点灯を行う照明装置として、複数の照明機器の点灯又は消灯を制御する点灯制御手段を備えたものが知られている。点灯制御手段は、予め設定された点灯率に応じて、各々の照明機器が所定サイクル毎に順に点灯するように複数の照明機器を点灯制御している。これにより、複数の照明機器をスイッチ操作によって個別に点灯又は消灯する人的負担を軽減している（例えば、特許文献１）。
【先行技術文献】
【特許文献】
【０００３】
【特許文献１】特開昭６１−２７０９８号公報
【発明の概要】
【発明が解決しようとする課題】
【０００４】
しかしながら、上述した照明装置では、予め設定された点灯率に応じて複数の照明機器を順々に点灯制御しているため、当該ロケーションにて利用者が求める場所を所望の明るさで照明することができないことがあった。
【０００５】
本発明は、上記に鑑みてなされたものであって、間引き点灯に対応するとともに、利用者が必要とする場所を所望の明るさで照明することができる照明装置を提供することを目的とする。
【課題を解決するための手段】
【０００６】
上述した課題を解決し、目的を達成するために、本発明の請求項１に係る照明装置は、複数の照明機器を備えた照明装置であって、点灯する照明機器の数の割合を示す点灯率を選択させるための点灯率選択手段と、各点灯率において点灯する照明機器の組み合わせを点灯パターンとして入力された場合に、これら点灯パターンを記憶する記憶手段と、前記点灯率選択手段によって点灯率が選択された場合に、前記記憶手段に記憶された当該点灯率に対応する点灯パターンを表示させ、何れかの点灯パターンを選択させるための点灯パターン選択手段と、前記点灯パターン選択手段を通じて選択された点灯パターンに従って、前記照明機器を点灯又は消灯する点灯制御手段とを備えたことを特徴とする。
【０００７】
また、本発明の請求項２に係る照明装置は、上述した請求項１において、各照明機器の点灯積算時間を計測する点灯時間計測手段と、前記点灯率選択手段によって点灯率が選択された場合に、前記記憶手段に記憶された当該点灯率に対応する点灯パターンの中から、前記点灯時間計測手段により計測された点灯積算時間の合計が最も少ない点灯パターンを検出する検出手段とを備え、前記点灯制御手段は、前記検出手段によって点灯パターンが検出された場合に、検出された点灯パターンに従って、前記照明機器を点灯又は消灯することを特徴とする。
【発明の効果】
【０００８】
本発明にかかる照明装置は、各点灯率において点灯する照明機器の組み合わせを点灯パターンとして入力された場合に、これら点灯パターンを記憶するものであるため、点灯する照明機器の組み合わせを入力して、間引き点灯に対応させることができる。また、点灯率選択手段によって点灯率が選択された場合に、記憶手段に記憶された当該点灯率に対応する点灯パターンを表示させ、何れかの点灯パターンを選択させるものであり、点灯制御手段が、選択された点灯パターンに従って、照明機器を点灯又は消灯するものであるため、選択した点灯率において複数の点灯パターンの中から利用者が任意に１つの点灯パターンを選択することができる。これにより、利用者が所望する照明機器を点灯させて、利用者が必要とする場所を所望の明るさで照明することができる。
【図面の簡単な説明】
【０００９】
【図１】図１は、本発明の実施の形態である照明装置の全体構成を示すブロック図である。
【図２】図２は、図１に示した操作装置の一部を示す説明図である。
【図３】図３は、点灯パターンの例を示す説明図である。
【図４】図４は、点灯時間計測部によって計測した各々の照明機器における点灯積算時間の例を示す説明図である。
【図５】図５は、図１に示した検出処理部における検出処理の例を示す説明図である。
【図６】図６は、図１に示した表示処理部が表示部に表示する点灯パターンの情報の例を示す説明図である。
【図７】図７は、図１に示した制御装置が実行する点灯パターン登録処理を示すフローチャートである。
【図８】図８は、図１に示した制御装置が実行する第１間引き点灯制御処理を示すフローチャートである。
【図９】図９は、図１に示した制御装置が実行する第２間引き点灯制御処理を示すフローチャートである。
【発明を実施するための形態】
【００１０】
以下に、本発明にかかる照明装置の実施の形態を詳細に説明する。なお、この実施の形態によりこの発明が限定されるものではない。
【００１１】
図１は、本発明の実施の形態である照明装置１の全体構成を示すブロック図である。本発明の実施の形態である照明装置１は、複数の照明機器１０と、操作装置２０と、制御装置８０とを備えて構成してある。
【００１２】
照明機器１０は、例えば蛍光灯やＬＥＤ等により構成されるもので、設置場所に応じて所定の領域を照らす照明機能を有するものである。この照明機器１０は、制御装置８０からの指令により点灯又は消灯するものである。照明機器１０として、本実施の形態では４つの照明機器１１，１２，１３，１４を備えている。各々の照明機器１０は異なる場所に設置してある。各々の照明機器１０は、点灯した場合に制御装置８０に対して点灯信号を出力する。尚、照明機器１０の数はこれに限られるものではなく、２つ以上であればよい。
【００１３】
図２は、図１に示した操作装置２０の一部を示す説明図である。操作装置２０は、点灯率選択ボタン（点灯率選択手段）３０と、表示部４０と、点灯パターン選択ボタン（点灯パターン選択手段）４１と、切替スイッチ５０とを備えて構成してある。
【００１４】
点灯率選択ボタン３０は、点灯率を選択するためのものである。ここで、点灯率とは、照明装置１における全ての照明機器１０に対して、点灯を行う照明機器１０の数の割合を示すものである。点灯率選択ボタン３０は点灯率に応じて複数配設してある。本実施の形態では、５つの点灯率選択ボタン３１，３２，３３，３４，３５が配設してあり、点灯率選択ボタン３０の押圧操作によって、全点灯（１００％点灯）、７５％点灯、５０％点灯、２５％点灯、全消灯（０％点灯）の５種類の点灯率が選択可能となるに構成してある。つまり、本実施の形態では、間引き点灯を行う点灯率として２５％、５０％、７５％の点灯率が設定されている。点灯率選択ボタン３０が操作された場合には、点灯率を指定する信号が制御装置８０に出力される。
【００１５】
点灯率が１００％の場合には、全ての照明機器、つまり４つの照明機器１０が点灯する。点灯率が７５％の場合には、４つの照明機器１０の内、３つの照明機器１０が点灯する。点灯率が５０％の場合には、４つの照明機器１０の内、２つの照明機器１０が点灯する。点灯率が２５％の場合には、４つの照明機器１０の内、１つの照明機器１０が点灯する。点灯率が０％の場合には、全ての照明機器が消灯する。尚、間引き点灯を行う点灯率は上述したものに限られず、照明機器１０の数に応じて任意に設定することが可能である。
【００１６】
表示部４０は、各点灯率における点灯パターン情報を表示するためのものであり、例えば液晶表示器によって構成してある。本実施の形態では、表示部４０に点灯パターン情報として、点灯パターン識別番号、照明機器識別番号、照明機器のＯＮ／ＯＦＦ情報が表示される。
【００１７】
点灯パターン選択ボタン４１は、各点灯率における点灯パターンを選択するためのものである。本実施の形態において、点灯パターン選択ボタン４１は、選択ボタン４１ａ、４１ｂと、決定ボタン４１ｃとからなる。選択ボタン４１ａ，４１ｂは、表示部４０に表示される点灯パターン情報を選択するためのものである。決定ボタン４１ｃは、選択ボタン４１ａ，４１ｂによって選択された点灯パターン情報を決定するためのものである。決定ボタン４１ｃの操作によって決定された点灯パターン情報は、出力信号に変換されて制御装置８０へ出力される。
【００１８】
切替スイッチ５０は、操作装置２０から制御装置８０への入力方式を設定モードと、手動モードと、自動モードとに切り替えるものである。切替スイッチ５０が設定モードに切り替えられた場合、制御装置８０に設定モードである信号が出力される。切替スイッチ５０が手動モードに切り替えられた場合、制御装置８０に手動モードである信号が出力される。切替スイッチ５０が自動モードに切り替えられた場合、制御装置８０に自動モードである信号が出力される。
【００１９】
制御装置８０は、記憶部（記憶手段）６０と、制御部７０とを備えて構成してある。
【００２０】
記憶部６０は、各々の照明機器１０の点灯／消灯に関する情報を格納するものであり、点灯パターン記憶部６１と、点灯積算時間記憶部６２とを備えて構成してある。
【００２１】
点灯パターン記憶部６１は、点灯パターン情報を記憶するものである。制御部７０によって後述する登録処理が行われた場合、点灯パターン記憶部６１に登録された点灯パターン情報が記憶される。
【００２２】
点灯積算時間記憶部６２は、照明機器１０の点灯時間の合計値である点灯積算時間を各々の照明機器１０毎に記憶するものである。
【００２３】
制御部７０は、入力処理部７２と、登録処理部７３と、抽出処理部７４と、点灯時間計測部（点灯時間計測手段）７５と、検出処理部（検出手段）７６と、表示処理部７７と、点灯制御部（点灯制御手段）７８とを備えて構成してある。
【００２４】
入力処理部７２は、操作装置２０から出力された信号を入力処理するものである。
【００２５】
登録処理部７３は、入力処理部７２を通じて入力処理された各種の点灯パターン情報を関連付けして、点灯パターンとして点灯パターン記憶部６１に登録する処理を行うものである。本実施の形態では、入力処理部７２を通じて、点灯率情報、点灯パターン識別番号情報、及び各照明機器のＯＮ／ＯＦＦ情報が入力された場合に、これらの情報を関連付けして、点灯パターンとして点灯パターン記憶部６１に登録する。
【００２６】
図３は、登録処理部７３によって登録された点灯パターンの例を示す。本実施の形態では、登録処理部７３によって、７５％の点灯率において４つの点灯パターンＰ１〜Ｐ４が登録されている。点灯率７５％における点灯パターンＰ１では、照明機器１１，１２，１３が点灯し、照明機器１４が消灯する。点灯率７５％における点灯パターンＰ２では、照明機器１１，１２，１４が点灯し、照明機器１３が消灯する。点灯率７５％における点灯パターンＰ３では、照明機器１１，１３，１４が点灯し、照明機器１２が消灯する。点灯率７５％における点灯パターンＰ４では、照明機器１２，１３，１４が点灯し、照明機器１１が消灯する。また、５０％の点灯率において２つの点灯パターンＰ１，Ｐ２が登録されている。点灯率５０％における点灯パターンＰ１では、照明機器１１，１３が点灯し、照明機器１２，１４が消灯する。点灯率５０％における点灯パターンＰ２では、照明機器１２，１４が点灯し、照明機器１１，１３が消灯する。また、２５％の点灯率において４つの点灯パターンＰ１〜Ｐ４が登録されている。点灯率２５％における点灯パターンＰ１では、照明機器１１が点灯し、照明機器１２，１３，１４が消灯する。点灯率２５％における点灯パターンＰ２では、照明機器１２が点灯し、照明機器１１，１３，１４が消灯する。点灯率２５％における点灯パターンＰ３では、照明機器１３が点灯し、照明機器１１，１２，１４が消灯する。点灯率２５％における点灯パターンＰ４では、照明機器１４が点灯し、照明機器１１，１２，１３が消灯する。点灯率が１００％の場合及び０％の場合には、各々点灯パターンが１つとなる。
【００２７】
尚、本実施の形態では、点灯率５０％において２つの点灯パターンが登録されているが、点灯パターンの数はこれに限られるものではない。各点灯率における点灯パターン数は、点灯率において点灯する照明機器の組み合わせの数を上限として適宜設定することが可能である。
【００２８】
抽出処理部７４は、入力処理部７２を通じて入力処理された点灯率を指定する信号に基づいて、点灯パターン記憶部６１に記憶された点灯パターン情報の中から、指定された点灯率に対応する点灯パターンを抽出するものである。例えば、入力処理部７２を通じて７５％の点灯率を指定する信号が入力処理された場合、抽出処理部７４は、図３に示す点灯パターンの中から点灯率が７５％となる４つの点灯パターンを抽出する。
【００２９】
点灯時間計測部７５は、各々照明機器１０の点灯積算時間を計測するものである。具体的には、照明機器１０が点灯した場合に、入力処理部７２を通じて入力処理された点灯信号に基づいて当該照明機器１０の点灯時間を計測するとともに、点灯積算時間記憶部６２に記憶されている当該照明機器１０の点灯積算時間に計測した点灯時間を積算するものである。点灯時間計測部７５による点灯積算時間の計測は、各々の照明機器１０毎に行われる。点灯時間計測部７５によって計測された点灯積算時間は、点灯積算時間情報として点灯積算時間記憶部６２に記憶され、照明機器１０が点灯する度に更新される。
【００３０】
図４は、点灯時間計測部７５によって計測した各々の照明機器１０の点灯積算時間の例を示す説明図である。この例では点灯積算時間を１時間単位で表しており、照明機器１１の点灯積算時間が２５０時間、照明機器１２の点灯積算時間が２００時間、照明機器１３の点灯積算時間が１００時間、照明機器１４の点灯積算時間が１５０時間となっている。尚、点灯積算時間の計測単位は、分単位、秒単位等、適宜設定することができる。
【００３１】
検出処理部７６は、抽出処理部７４によって抽出された点灯パターンの中から、点灯積算時間記憶部６２に記憶された点灯積算時間の合計が最も少ない点灯パターンを検出するものである。
【００３２】
図５は、検出処理部７６における検出処理の例を示す説明図である。この例では、抽出処理部７４によって、点灯率が７５％である４つの点灯パターンが抽出されたものとする。抽出された点灯パターンＰ１〜Ｐ４において点灯積算時間の合計が、図５に示すように５５０時間、６００時間、５００時間、４５０時間である場合、検出処理部７６は、点灯積算時間の合計が４５０時間である点灯パターンＰ４を点灯積算時間の合計が最も少ない点灯パターンとして検出することとなる。
【００３３】
また、検出処理部７６は、点灯積算時間の合計が最も少ない点灯パターンが複数ある場合、予め設定した優先順位に基づいて複数の点灯パターンの中からを１つの点灯パターンを選択する。一例として、点灯率７５％における４つの点灯パターンＰ１〜Ｐ４について、点灯パターンＰ１、点灯パターンＰ２、点灯パターンＰ３、点灯パターンＰ４の順に予め優先順位を設定したものとする。点灯積算時間の合計が最も少ない点灯パターンとして点灯パターンＰ２及び点灯パターンＰ４が検出された場合、検出処理部７６は、優先順位が最も高い点灯パターンＰ２を選択することとなる。
【００３４】
表示処理部７７は、点灯パターンの情報を操作装置２０の表示部４０に表示する処理を行うものである。具体的には、入力処理部７２を通じて設定モードである信号及び点灯率を指定する信号が入力処理された場合に、点灯パターン記憶部６１に記憶された点灯パターン情報の中から指定された点灯率に関連する点灯パターンの情報を表示部４０に表示する。また、入力処理部７２を通じて手動モードである信号が入力処理され、抽出処理部７４によって点灯パターンが抽出された場合に、抽出された点灯パターンの情報を表示部４０に表示する。また、入力処理部７２を通じて自動モードである信号が入力処理され、検出処理部７６によって点灯パターンが検出された場合に、検出された点灯パターンの情報を表示部４０に表示する。
【００３５】
図６は、表示処理部７７が表示部４０に表示する点灯パターンの情報の例を示す説明図である。この例では、入力処理部７２を通じて手動モードである信号が入力され、抽出処理部７４によって点灯率が７５％である４つの点灯パターンが抽出されたものとする。表示処理部７７は、４つの点灯パターンの内、照明機器１１，１２，１３が点灯する点灯パターンＰ１の情報を示す「Ｐ１」を表示部４０に表示する。点灯パターン選択ボタン４１ｂが操作されることにより、表示部４０には、点灯パターンＰ２の情報を示す「Ｐ２」、点灯パターンＰ３の情報を示す「Ｐ３」、点灯パターンＰ４の情報を示す「Ｐ４」が順に表示される。
【００３６】
点灯制御部７８は、選択された１つの点灯パターンに従って、各々の照明機器１０を点灯又は消灯する制御を行うものである。具体的には、入力処理部７２を通じて１つの点灯パターンが選択する信号が入力された場合に、選択された点灯パターンに従い、各々の照明機器１０に対して点灯又は消灯する指令を出力する。また、抽出処理部７４によって１つの点灯パターンが抽出された場合、抽出された点灯パターンに従い、各々の照明装置１０に対して点灯又は消灯する指令を出力する。また、検出処理部７６によって１つの点灯パターンが検出又は選択された場合、検出された点灯パターンに従い、各々の照明機器１０に対して点灯又は消灯する指令を出力する。
【００３７】
図７は、上述した制御部７０が実行する点灯パターンの登録処理を示すフローチャートである。
【００３８】
切替スイッチ５０が操作されて設定モードである信号が出力された場合（ステップＳ１００：Ｙｅｓ）、制御部７０は、点灯率選択ボタン３０が操作されて、操作装置２０から点灯率を指定する信号が出力されると（ステップＳ１０１：Ｙｅｓ）、表示処理部７７を通じて、点灯パターン記憶部６１に記憶された点灯パターン情報の中から指定された点灯率に関連する点灯パターンの情報を表示部４０に表示する（ステップＳ１０２）。
【００３９】
制御部７０は、点灯パターンの情報を表示した後、所定の時間内に点灯パターン選択ボタン４１が操作されて、操作装置２０から点灯パターンの識別番号と、点灯を行う照明機器１０とを指定する信号とが出力されると（ステップＳ１０３：Ｙｅｓ）、登録処理部７３を通じて、点灯率情報と、点灯パターン識別番号情報と、点灯を行う照明機器１０の情報とを関連付けて、点灯パターンとして点灯パターン記憶部６１に登録し（ステップＳ１０４）、手順をリターンさせて処理を終了する。
【００４０】
制御部７０は、所定の時間内に操作装置２０から点灯パターンの識別番号と、点灯を行う照明機器１０とを指定する信号とが出力されない場合（ステップＳ１０３：Ｎｏ、ステップＳ１０５：Ｙｅｓ）、手順をリターンさせて処理を終了する。
【００４１】
このように本実施の形態である照明装置１は、各点灯率において点灯する照明機器１０の組み合わせを点灯パターンとして入力された場合に、これら点灯パターンを記憶するものであるため、点灯する照明機器１０の組み合わせを入力して、設置されるロケーションに応じた間引き点灯に対応させることができる。
【００４２】
図８は、上述した制御部７０が実行する第１間引き点灯制御処理を示すフローチャートである。
【００４３】
切替スイッチ５０が操作されて手動モードである信号が出力された場合（ステップＳ２００：Ｙｅｓ）、制御部７０は、点灯率選択ボタン３０が操作されて操作装置２０から点灯率を指定する信号が出力されると（ステップＳ２０１：Ｙｅｓ）、抽出処理部７４を通じて、点灯パターン記憶部６１に記憶された点灯パターン情報の中から指定された点灯率に対応する点灯パターンを抽出する（ステップＳ２０２）。
【００４４】
制御部７０は、抽出した点灯パターンが複数であるか否かを判断する（ステップＳ２０３）。抽出した点灯パターンが複数ではない場合、つまり抽出処理部７４を通じて１つの点灯パターンが抽出された場合（ステップＳ２０３：Ｎｏ）、制御部７０は点灯制御部７８を通じて、抽出された点灯パターンに従い照明機器１０を点灯又は消灯する（ステップＳ２０６）。その後、制御部７０は手順をリターンさせて今回の処理を終了する。
【００４５】
抽出した点灯パターンが複数ある場合（ステップＳ２０３：Ｙｅｓ）、制御部７０は表示処理部７７を通じて、表示部４０に抽出された点灯パターンの情報を表示する（ステップＳ２０４）。
【００４６】
制御部７０は、点灯パターンの情報を表示した後、所定の時間内に点灯パターン選択ボタン４１が操作されて、操作装置２０から点灯パターンを選択する信号が出力されると（ステップＳ２０５：Ｙｅｓ）、表示処理部７７を通じて、選択された点灯パターンの情報を表示部４０に表示し、点灯制御部７８を通じて、選択された点灯パターンに従い照明機器１０を点灯又は消灯する（ステップＳ２０６）。その後、制御部７０は手順をリターンさせて今回の処理を終了する。
【００４７】
所定の時間内に点灯パターン選択ボタン４１が操作されなかった場合（ステップＳ２０５：Ｎｏ、ステップＳ２０７：Ｙｅｓ）、制御部７０は手順をリターンさせて今回の処理を終了する。
【００４８】
このように本実施の形態である照明装置１は、点灯率選択ボタン３０によって点灯率が選択された場合に、記憶部６０に記憶された当該点灯率に対応する点灯パターンを表示させ、何れかの点灯パターンを選択させるものであり、選択された点灯パターンに従って、照明機器１０を点灯又は消灯するものであるため、選択した点灯率において複数の点灯パターンの中から利用者が任意に１つの点灯パターンを選択することができる。これにより、利用者が所望する照明機器１０を点灯させて、利用者が必要とする場所を所望の明るさで照明することができる。
【００４９】
図９は、上述した制御装置８０が実行する第２間引き点灯制御処理を示すフローチャートである。
【００５０】
切替スイッチ５０が操作されて自動モードである信号が出力された場合（ステップＳ３００：Ｙｅｓ）、制御部７０は、点灯率選択ボタン３０が操作されて操作装置２０から点灯率を指定する信号が出力されると（ステップＳ３０１：Ｙｅｓ）、抽出処理部７４を通じて、記憶部６０の点灯パターン記憶部６１に記憶された点灯パターン情報の中から指定された点灯率に対応する点灯パターンを抽出する（ステップＳ３０２）。
【００５１】
制御部７０は、抽出した点灯パターンが複数であるか否かを判断する（ステップＳ３０３）。点灯パターンが複数ではない場合、つまり抽出処理部７４を通じて１つの点灯パターンが抽出された場合（ステップＳ３０３：Ｎｏ）、制御部７０は点灯制御部７８を通じて、抽出された点灯パターンに従い照明機器１０を点灯又は消灯する（ステップＳ３０８）。その後、制御部７０は手順をリターンさせて今回の処理を終了する。
【００５２】
抽出した点灯パターンが複数ある場合（ステップＳ３０３：Ｙｅｓ）、制御部７０は検出処理部７６を通じて、点灯積算時間記憶部６２に記憶された点灯積算時間情報に基づき、抽出した各々の点灯パターンについて、点灯する照明機器１０の点灯積算時間の合計を算出し、点灯積算時間の合計が最も少ない点灯パターンを検出する（ステップＳ３０４）。
【００５３】
その後、制御部７０は表示処理部７７を通じて、検出した点灯パターンの情報を操作装置２０の表示部４０に表示する（ステップＳ３０５）。また、制御部７０は、検出処理部７６が選択した点灯パターンが複数であるか否かを判断する（ステップＳ３０６）。
【００５４】
点灯パターンが複数ではない場合、つまり検出処理部７６を通じて１つの点灯パターンを検出された場合（ステップＳ３０６：Ｎｏ）、制御部７０は点灯制御部７８を通じて、検出された点灯パターンに従い照明機器１０を点灯又は消灯する（ステップＳ３０８）。その後、制御部７０は手順をリターンさせて今回の処理を終了する。
【００５５】
検出した点灯パターンが複数ある場合（ステップＳ３０６：Ｙｅｓ）、制御部７０は、操作装置２０の点灯パターン選択ボタン４１を有効化する。その後、所定の時間内に点灯パターン選択ボタン４１が操作されて、操作装置２０から点灯パターンを選択する信号が出力された場合（ステップＳ３０７：Ｙｅｓ）、制御部７０は表示処理部７７を通じて、選択された点灯パターンの情報を表示部４０に表示し、点灯制御部７８を通じて、選択された点灯パターンに従い照明機器１０を点灯又は消灯する（ステップＳ３０８）。その後、制御部７０は手順をリターンさせて今回の処理を終了する。
【００５６】
所定の時間内に点灯パターン選択ボタン４１が操作されない場合（ステップＳ３０７：Ｎｏ、ステップＳ３０９：Ｙｅｓ）、制御部７０は検出処理部７６を通じて、予め設定された点灯パターンの優先順位に基づいて１つの点灯パターンを選択する（ステップＳ３０１０）。その後、制御部７０は、表示処理部７７を通じて、選択された点灯パターンの情報を表示部４０に表示し、点灯制御部７８を通じて、選択された点灯パターンに従い照明機器１０を点灯又は消灯する（ステップＳ３０８）。その後、制御部７０は手順をリターンさせて今回の処理を終了する。
【００５７】
このように本実施の形態である照明装置１は、点灯率選択ボタン３０によって点灯率が選択された場合に、記憶部６０に記憶された当該点灯率に対応する点灯パターンの中から、点灯時間計測部７５により計測された点灯積算時間の合計が最も少ない点灯パターンを検出するものであり、点灯制御部７８が、検出処理部７６によって点灯パターンが検出された場合に、検出された点灯パターンに従って、照明機器１０を点灯又は消灯するものであるため、選択した点灯率において点灯パターンが複数ある場合に、点灯積算時間の短い照明機器１０を点灯させるように点灯パターンを選択することができる。これにより、各々の照明機器１０の点灯積算時間の均一化を図ることができる。その結果、照明機器１０にかかる負荷を均一化して、特定の照明機器１０が早期劣化することを防止することができる。
【００５８】
尚、上述した実施の形態では、検出処理部７６が複数の点灯パターンを検出した場合に、点灯パターン選択ボタン４１の操作によって点灯パターンを選択可能としているが、検出処理部７６が複数の点灯パターンを検出した場合に、点灯パターン選択ボタン４１の操作による点灯パターンの選択を不可とし、検出処理部７６が選択した１つの点灯パターンに従って照明機器１０を点灯又は消灯する構成としてもよい。
【符号の説明】
【００５９】
１  照明装置
１０，１１，１２，１３，１４  照明機器
２０  操作装置
３０，３１，３２，３３，３４，３５  点灯率選択ボタン
４０  表示部
４１  点灯パターン選択ボタン
５０  切替スイッチ
６０  記憶部
６１  点灯パターン記憶部
６２  点灯積算時間記憶部
７０  制御部
７２  入力処理部
７３  登録処理部
７４  抽出処理部
７５  点灯時間計測部
７６  検出処理部
７７  表示処理部
７８  点灯制御部
８０  制御装置
【図１】
2013084474.tif 000003
【図２】
2013084474.tif 000004
【図３】
2013084474.tif 000005
【図４】
2013084474.tif 000006
【図５】
2013084474.tif 000007
【図６】
2013084474.tif 000008
【図７】
2013084474.tif 000009
【図８】
2013084474.tif 000010
【図９】
2013084474.tif 000011